(57)【特許請求の範囲】
【請求項１】
進化型基地局ｅＮＢから取得した無線リソース制御ＲＲＣ接続再配置メッセージに基づいて、ローカルの測定配置を再び配置し、前記ｅＮＢへＲＲＣ接続再配置完成メッセージを送信するステップと、
前記ＲＲＣ接続再配置完成メッセージを送信してから予め設定した時間内に、前記ＲＲＣ接続再配置完成メッセージの確認応答を受信していないと認定すると、前記ローカルの測定配置を再び配置する前の測定配置に戻し、前記ｅＮＢへＲＲＣ接続再構築要求メッセージを送信するステップと、を含むＲＲＣ測定再配置の処理方法。
【請求項２】
前記ｅＮＢから取得した前記ＲＲＣ接続再配置メッセージに基づいて、前記ローカルの測定配置を再び配置する前、
前記ＲＲＣ接続再配置メッセージについて完全性保護チェックを行うステップと、
チェックに失敗すると、ｅＮＢへＲＲＣ接続再構築要求メッセージを送信するステップと、
チェックに成功すると、前記ＲＲＣ接続再配置メッセージに基づいて、ローカルの測定配置を再配置するステップと、をさらに含む請求項１に記載の方法。
【請求項３】
前記ｅＮＢから取得した前記ＲＲＣ接続再配置メッセージに基づいて、前記ローカルの測定配置を再び配置する前、
無線リンクを検出するステップと、
前記無線リンクに異常が発生したことが検出されると、前記ｅＮＢへ前記ＲＲＣ接続再構築要求メッセージを送信するステップと、
前記無線リンクに異常が発生したことが検出されていないと、前記ｅＮＢからの前記ＲＲＣ接続再配置メッセージを受信するステップと、をさらに含む請求項１又は２に記載の方法。
【請求項４】
ユーザ機器ＵＥへ無線リソース制御ＲＲＣ接続再配置メッセージを送信し、前記ＲＲＣ接続再配置メッセージに基づいて、ローカルの測定配置を再配置するステップと、
前記ＵＥからＲＲＣ接続再配置完成メッセージを受信する前に、前記ＵＥからのＲＲＣ接続再構築要求メッセージを受信したと認定すると、前記ローカルの測定配置を再配置する前の測定配置に戻し、前記ＵＥへＲＲＣ接続再構築メッセージを送信するステップと、を含むＲＲＣ測定再配置の処理方法。
【請求項５】
第１の無線リソース制御ＲＲＣ接続再配置メッセージによってユーザ機器ＵＥへ第１の測定配置を送信するステップと、
前記ＵＥからＲＲＣ接続再配置完成メッセージを受信する前に、前記ＵＥからのＲＲＣ接続再構築要求メッセージを受信したと認定すると、前記ＵＥへＲＲＣ接続再構築メッセージを送信するステップと、
前記ＵＥからＲＲＣ接続再構築完成メッセージを受信した後、第２のＲＲＣ接続再配置メッセージによってＵＥへ前記第１の測定配置の削除を送信し、第２の測定配置も送信するステップと、を含むＲＲＣ測定再配置の処理方法。
【請求項６】
進化型基地局ｅＮＢから取得した無線リソース制御ＲＲＣ接続再配置メッセージに基づいて、ローカルの測定配置を再び配置し、前記ｅＮＢへＲＲＣ接続再配置完成メッセージを送信するように構成される第１の配置モジュールと、
前記ＲＲＣ接続再配置完成メッセージを送信してから予め設定した時間内に、前記ＲＲＣ接続再配置完成メッセージの確認応答を受信していないと認定すると、前記ローカルの測定配置を再び配置する前の測定配置に戻し、前記ｅＮＢへＲＲＣ接続再構築要求メッセージを送信するように構成される第２の配置モジュールと、を含むユーザ機器ＵＥ。
【請求項７】
前記ＲＲＣ接続再配置メッセージについて完全性保護チェックを行い、チェックに失敗すると、ｅＮＢへＲＲＣ接続再構築要求メッセージを送信し、チェックに成功すると、前記ＲＲＣ接続再配置メッセージに基づいて、ローカルの測定配置を再配置するように構成されるチェックモジュールをさらに含む請求項６に記載のＵＥ。
【請求項８】
無線リンクを検出し、前記無線リンクに異常が発生したことが検出されると、前記ｅＮＢへ前記ＲＲＣ接続再構築要求メッセージを送信し、前記無線リンクに異常が発生したことが検出されていないと、前記ｅＮＢからの前記ＲＲＣ接続再配置メッセージを受信するように構成されるリンク検出モジュールをさらに含む請求項６又は７に記載のＵＥ。
【請求項９】
ＵＥへＲＲＣ接続再配置メッセージを送信し、前記ＲＲＣ接続再配置メッセージに基づいて、ローカルの測定配置を再配置するように構成される第２の再配置モジュールと、
前記ＵＥからＲＲＣ接続再配置完成メッセージを受信する前に、前記ＵＥからのＲＲＣ接続再構築要求メッセージを受信していると認定する、前記ローカルの測定配置を再配置する前の測定配置に戻し、前記ＵＥへＲＲＣ接続再構築メッセージを送信するように構成される第２の再構築モジュールと、を含む進化型基地局ｅＮＢ。
【請求項１０】
第１のＲＲＣ接続再配置メッセージによって、ＵＥへ第１の測定配置を送信するように構成される第２の再配置モジュールと、
前記ＵＥからＲＲＣ接続再配置完成メッセージを受信する前に、前記ＵＥからのＲＲＣ接続再構築要求メッセージを受信していると認定すると、前記ＵＥへＲＲＣ接続再構築メッセージを送信するように構成される第２の再構築モジュールと、
前記ＵＥからＲＲＣ接続再構築完成メッセージを受信した後、第２のＲＲＣ接続再配置メッセージによって、前記ＵＥへ前記第１の測定配置の削除を送信し、第２の測定配置も送信するように構成される初期化再配置モジュールと、を含む進化型基地局ｅＮＢ。
【請求項１１】
進化型基地局ｅＮＢとユーザ機器ＵＥとを含むＲＲＣ測定再配置の処理システムであって、
前記ｅＮＢは、前記ＵＥへ無線リソース制御ＲＲＣ接続再配置メッセージを送信し、前記ＲＲＣ接続再配置メッセージに基づいてｅＮＢ側のローカルの測定配置を再配置し、また、前記ＵＥからＲＲＣ接続再配置完成メッセージを受信する前に、前記ＵＥからのＲＲＣ接続再構築要求メッセージを受信していると認定すると、前記ローカルの測定配置を再配置する前の測定配置に戻し、前記ＵＥへＲＲＣ接続再構築メッセージを送信するように構成され、
前記ＵＥは、前記ｅＮＢから取得したＲＲＣ接続再配置メッセージに基づいて、ローカルの測定配置を再び配置し、前記ｅＮＢへＲＲＣ接続再配置完成メッセージを送信し、また、前記ＲＲＣ接続再配置完成メッセージを送信してから予め設定した時間内に、前記ＲＲＣ接続再配置完成メッセージの確認応答を受信していないと認定すると、前記ローカルの測定配置を再配置する前の測定配置に戻し、前記ｅＮＢへＲＲＣ接続再構築要求メッセージを送信するように構成されるＲＲＣ測定再配置の処理システム。
【請求項１２】
ＵＥがさらに、前記ＲＲＣ接続再配置メッセージについて完全性保護チェックを行い、チェックに失敗すると、前記ｅＮＢへＲＲＣ接続再構築要求メッセージを送信し、チェックに成功すると、前記ＲＲＣ接続再配置メッセージに基づいてローカルの測定配置を再配置するように構成される請求項１１に記載のシステム。
【請求項１３】
ＵＥがさらに、無線リンクを検出し、前記無線リンクに異常が発生したことが検出されると、前記ｅＮＢへＲＲＣ接続再構築要求メッセージを送信し、前記無線リンクに異常が発生したことが検出されていないと、前記ｅＮＢからのＲＲＣ接続再配置メッセージを受信するように構成される請求項１１又は１２に記載のシステム。
【請求項１４】
進化型基地局ｅＮＢとユーザ機器ＵＥとを含むＲＲＣ測定再配置の処理システムであって、
前記ｅＮＢが、第１のＲＲＣ接続再配置メッセージによって前記ＵＥへ第１の測定配置を送信し、また、前記ＵＥからＲＲＣ接続再配置完成メッセージを受信する前に、前記ＵＥからのＲＲＣ接続再構築要求メッセージを受信していると認定すると、前記ＵＥへＲＲＣ接続再構築メッセージを送信し、また、前記ＵＥからＲＲＣ接続再構築完成メッセージを受信した後、第２のＲＲＣ接続再配置メッセージによって前記ＵＥへ第１の測定配置の削除を送信し、第２の測定配置も送信するように構成され、
前記ＵＥが、前記ｅＮＢからのＲＲＣ接続再配置メッセージを受信し、前記ＲＲＣ接続再配置メッセージに基づいてローカルの測定配置を再配置し、また、再配置を完成した場合、前記ｅＮＢへＲＲＣ接続再配置完成メッセージを送信し、再配置に失敗した場合、前記ｅＮＢへＲＲＣ接続再構築要求メッセージを送信するように構成されるＲＲＣ測定再配置の処理システム。
【発明の詳細な説明】
【技術分野】
【０００１】
本発明は、長期進化分野に関し、特に、測定配置の処理方法、ユーザ機器（ＵＥ）、進化型基地局（ｅＮＢ）とシステムに関する。
【背景技術】
【０００２】
長期進化（ＬＴＥ）システムにおいて、進化型基地局ｅＮＢはＲＲＣＣｏｎｎｅｃｔｉｏｎＲｅｃｏｎｆｉｇｕｒｅ（ＲＲＣ（Ｒａｄｉｏ  Ｒｅｓｏｕｒｃｅ  Ｃｏｎｔｒｏｌ、無線リソース制御）接続再配置）メッセージが接続状態であるＵＥへ、測定配置を送信し、ＵＥは測定配置情報に基づいて測定を行って測定結果を報告する。測定配置は主に、測定対象（ｍｅａｓＯｂｊｅｃｔＩｄ）と、報告配置（ＲｅｐｏｒｔＣｏｎｆｉｇＩｄ）と、測定識別子（ＭｅａｓＩｄ）との三つのパラメータを含み、測定対象はＵＥが測定した一つのキャリアを指し、報告配置は測定報告のトリガー標準と報告形式を指し、測定識別子は一つの測定対象と報告配置とを接続して一つの測定ジョブを表す。３６.３３１に、一つの測定対象は一つのキャリアのみに対応でき、同一のキャリアは同一の測定対象のみに対応できると規定された。
【０００３】
接続状態のＵＥはＲＲＣ接続再構築を介してＲＲＣ接続を回復することができ、ＲＲＣ接続再構築は、無線リンク失敗、システム内での切り替え失敗、完全性保護チェック失敗、ＲＲＣ接続再配置失敗等の状況に応用される。
【０００４】
再構築する際、ＵＥとｅＮＢとの測定配置が一致しないと、ｅＮＢが初期測定配置を送信する際にＵＥの現在の測定配置と互換性を有せず、即ち、同一のキャリアが異なる測定対象に対応してしまい、ＲＲＣ接続再配置に失敗し、再構築を再度発しなければならなくなることがある。
【発明の概要】
【発明が解決しようとする課題】
【０００５】
本発明は、ＲＲＣ接続再構築の成功率を向上させることを主な目的とする。
【課題を解決するための手段】
【０００６】
上記目的を実現するため、本発明は、
進化型基地局ｅＮＢから取得した無線リソース制御ＲＲＣ接続再配置メッセージに基づいて、ローカルの測定配置を再び配置し、前記ｅＮＢへＲＲＣ接続再配置完成メッセージを送信するステップと、
前記ＲＲＣ接続再配置完成メッセージを送信してから予め設定した時間内に、前記ＲＲＣ接続再配置完成メッセージの確認応答を受信していないと認定すると、前記ローカルの測定配置を再び配置する前の測定配置に戻し、前記ｅＮＢへＲＲＣ接続再構築要求メッセージを送信するステップと、を含む測定配置の処理方法を提供する。
【０００７】
前記ｅＮＢから取得した前記ＲＲＣ接続再配置メッセージに基づいて、前記ローカルの測定配置を再び配置する前、
前記ＲＲＣ接続再配置メッセージについて完全性保護チェックを行うステップと、
チェックに失敗すると、ｅＮＢへＲＲＣ接続再構築要求メッセージを送信するステップと、
チェックに成功すると、前記ＲＲＣ接続再配置メッセージに基づいて、ローカルの測定配置を再配置するステップと、をさらに含むことが好ましい。
【０００８】
前記ｅＮＢから取得した前記ＲＲＣ接続再配置メッセージに基づいて、前記ローカルの測定配置を再び配置する前、
無線リンクを検出するステップと、
無線リンクに異常が発生したことが検出されると、ｅＮＢへＲＲＣ接続再構築要求メッセージを送信するステップと、
無線リンクに異常が発生したことが検出されていないと、ｅＮＢからのＲＲＣ接続再配置メッセージを受信するステップと、をさらに含むことが好ましい。
【０００９】
そして、上記目的を実現するため、本発明はさらに、
進化型基地局ｅＮＢがＵＥへＲＲＣ接続再配置メッセージを送信し、前記ＲＲＣ接続再配置メッセージに基づいて、ローカルの測定配置を再配置するステップと、
前記ＵＥからＲＲＣ接続再配置完成メッセージを受信する前に、ＵＥからのＲＲＣ接続再構築要求メッセージを受信したと認定すると、前記ローカルの測定配置を再配置する前の測定配置に戻し、ＵＥへＲＲＣ接続再構築メッセージを送信するステップと、を含むＲＲＣ測定再配置の処理方法を提供する。
【００１０】
そして、上記目的を実現するため、本発明はさらに、
ｅＮＢが第１のＲＲＣ接続再配置メッセージによってＵＥへ第１の測定配置を送信するステップと、
前記ＵＥからＲＲＣ接続再配置完成メッセージを受信する前に、ＵＥからのＲＲＣ接続再構築要求メッセージを受信したと認定すると、ＵＥへＲＲＣ接続再構築メッセージを送信するステップと、
ＵＥからＲＲＣ接続再構築完成メッセージを受信した後、第２のＲＲＣ接続再配置メッセージによってＵＥへ第１の測定配置の削除を送信し、第２の測定配置も送信するステップと、を含むＲＲＣ測定再配置の処理方法を提供する。
【００１１】
そして、上記目的を実現するため、本発明はさらに、
進化型基地局ｅＮＢから取得した無線リソース制御ＲＲＣ接続再配置メッセージに基づいて、ローカルの測定配置を再び配置し、前記ｅＮＢへＲＲＣ接続再配置完成メッセージを送信するように構成される第１の配置モジュールと、
前記ＲＲＣ接続再配置完成メッセージを送信してから予め設定した時間内に、前記ＲＲＣ接続再配置完成メッセージの確認応答を受信していないと認定すると、前記ローカルの測定配置を再び配置する前の測定配置に戻し、前記ｅＮＢへＲＲＣ接続再構築要求メッセージを送信するように構成される第２の配置モジュールと、を含むユーザ機器ＵＥを提供する。
【００１２】
前記ＵＥが、
前記ＲＲＣ接続再配置メッセージについて完全性保護チェックを行い、チェックに失敗すると、ｅＮＢへＲＲＣ接続再構築要求メッセージを送信し、チェックに成功すると、前記ＲＲＣ接続再配置メッセージに基づいて、ローカルの測定配置を再配置するように構成されるチェックモジュールをさらに含むことが好ましい。
【００１３】
前記ＵＥが、
無線リンクを検出し、無線リンクに異常が発生したことが検出されると、ｅＮＢへＲＲＣ接続再構築要求メッセージを送信し、無線リンクに異常が発生したことが検出されていないと、ｅＮＢからのＲＲＣ接続再配置メッセージを受信するように構成されるリンク検出モジュールをさらに含むことが好ましい。
【００１４】
そして、上記目的を実現するため、本発明はさらに、
ＵＥへＲＲＣ接続再配置メッセージを送信し、前記ＲＲＣ接続再配置メッセージに基づいて、ローカルの測定配置を再配置するように構成される第２の再配置モジュールと、
ＵＥからＲＲＣ接続再配置完成メッセージを受信する前に、ＵＥからのＲＲＣ接続再構築要求メッセージを受信していると認定する、ローカルの測定配置を再配置する前の測定配置に戻し、ＵＥへＲＲＣ接続再構築メッセージを送信するように構成される第２の再構築モジュールと、を含む進化型基地局ｅＮＢを提供する。
【００１５】
そして、上記目的を実現するため、本発明はさらに、
第１のＲＲＣ接続再配置メッセージによって、ＵＥへ第１の測定配置を送信するように構成される第２の再配置モジュールと、
ＵＥからＲＲＣ接続再配置完成メッセージを受信する前に、ＵＥからのＲＲＣ接続再構築要求メッセージを受信していると認定すると、ＵＥへＲＲＣ接続再構築メッセージを送信するように構成される第２の再構築モジュールと、
ＵＥからＲＲＣ接続再構築完成メッセージを受信した後、第２のＲＲＣ接続再配置メッセージによって、ＵＥへ第１の測定配置の削除を送信し、第２の測定配置も送信するように構成される初期化再配置モジュールと、を含む進化型基地局ｅＮＢを提供する。
【００１６】
そして、上記目的を実現するため、本発明はさらに、進化型基地局ｅＮＢとユーザ機器ＵＥとを含むＲＲＣ測定再配置の処理システムであって、
前記ｅＮＢは、前記ＵＥへＲＲＣ接続再配置メッセージを送信し、前記ＲＲＣ接続再配置メッセージに基づいてｅＮＢ側のローカルの測定配置を再配置し、また、ＵＥからＲＲＣ接続再配置完成メッセージを受信する前に、ＲＲＣ接続再構築要求メッセージを受信していると認定すると、ローカルの測定配置を再配置する前の測定配置に戻し、前記ＵＥへＲＲＣ接続再構築メッセージを送信するように構成され、
前記ＵＥは、ｅＮＢから取得したＲＲＣ接続再配置メッセージに基づいて、ローカルの測定配置を再び配置し、前記ｅＮＢへＲＲＣ接続再配置完成メッセージを送信し、また、前記ＲＲＣ接続再配置完成メッセージを送信してから予め設定した時間内に、前記ＲＲＣ接続再配置完成メッセージの確認応答を受信していないと認定すると、前記ローカルの測定配置を再配置する前の測定配置に戻し、前記ｅＮＢへＲＲＣ接続再構築要求メッセージを送信するように構成されるＲＲＣ測定再配置の処理システムを提供する。
【００１７】
ＵＥがさらに、前記ＲＲＣ接続再配置メッセージについて完全性保護チェックを行い、チェックに失敗すると、前記ｅＮＢへＲＲＣ接続再構築要求メッセージを送信し、チェックに成功すると、前記ＲＲＣ接続再配置メッセージに基づいてローカルの測定配置を再配置するように構成されることが好ましい。
【００１８】
ＵＥがさらに、無線リンクを検出し、無線リンクに異常が発生したことが検出されると、前記ｅＮＢへＲＲＣ接続再構築要求メッセージを送信し、無線リンクに異常が発生したことが検出されていないと、前記ｅＮＢからのＲＲＣ接続再配置メッセージを受信するように構成されることが好ましい。
【００１９】
そして、上記目的を実現するため、本発明はさらに、進化型基地局ｅＮＢとユーザ機器ＵＥとを含むＲＲＣ測定再配置の処理システムであって、
前記ｅＮＢが、第１のＲＲＣ接続再配置メッセージによってＵＥへ第１の測定配置を送信し、また、前記ＵＥからＲＲＣ接続再配置完成メッセージを受信する前に、ＵＥからのＲＲＣ接続再構築要求メッセージを受信していると認定すると、ＵＥへＲＲＣ接続再構築メッセージを送信し、また、ＵＥからＲＲＣ接続再構築完成メッセージを受信した後、第２のＲＲＣ接続再配置メッセージによってＵＥへ第１の測定配置の削除を送信し、第２の測定配置も送信するように構成され、
前記ＵＥが、前記ｅＮＢからのＲＲＣ接続再配置メッセージを受信し、前記ＲＲＣ接続再配置メッセージに基づいてローカルの測定配置を再配置し、また、再配置を完成した場合、前記ｅＮＢへＲＲＣ接続再配置完成メッセージを送信し、再配置に失敗した場合、前記ｅＮＢへＲＲＣ接続再構築要求メッセージを送信するように構成されるＲＲＣ測定再配置の処理システムを提供する。
【発明の効果】
【００２０】
本発明で提供する技術案によると、無線リンク失敗が発生し、ＲＲＣ接続再配置完成メッセージをｅＮＢへ成功に送信できず、前記ＲＲＣ接続再配置完成メッセージのＡＣＫ応答を受信できないと、ＵＥとｅＮＢと間のＲＲＣ接続再構築が必要である。本技術案によると、ＵＥ中の測定配置を再配置する前のものに戻し、再配置する前の測定配置は前に成功に実行した測定配置であるので、ｅＮＢにも対応する測定配置があるように保証できる。これにより、ＵＥとｅＮＢとがＲＲＣ接続再構築を行う時に測定配置が異なることでＲＲＣ接続再構築に失敗してしまうことを回避できる。
【図面の簡単な説明】
【００２１】
【図１】本発明のＲＲＣ測定再配置の処理方法の第１の実施例のフローを示す図である。
【図２】本発明のＲＲＣ測定再配置の処理方法の第２の実施例のフローを示す図である。
【図３】本発明のＲＲＣ測定再配置の処理方法の第３の実施例のフローを示す図である。
【図４】本発明のＲＲＣ測定再配置の処理方法の第４の実施例のフローを示す図である。
【図５】本発明のＲＲＣ測定再配置の処理方法の第５の実施例のフローを示す図である。
【図６】本発明のＲＲＣ測定再配置の処理方法の第６の実施例のフローを示す図である。
【図７】本発明のＲＲＣ測定再配置の処理方法の第７の実施例のフローを示す図である。
【図８】本発明のＲＲＣ測定再配置の処理方法の第８の実施例のフローを示す図である。
【図９】本発明のユーザ機器ＵＥの一実施例のモジュールを示す図である。
【図１０】本発明の進化型基地局ｅＮＢの第１の実施例のモジュールを示す図である。
【図１１】本発明の進化型基地局ｅＮＢの第２の実施例のモジュールを示す図である。
【図１２】本発明のＲＲＣ測定再配置の処理システムの第１の実施例のモジュールを示す図である。
【図１３】本発明のＲＲＣ測定再配置の処理システムの第２の実施例のモジュールを示す図である。
【００２２】
本発明の目的の実現、機能特徴及びメリットを実施例を結合しつつ、図面を参照してさらに説明する。
【発明を実施するための形態】
【００２３】
なお、ここで説明する具体的な実施例は本発明を解釈するためのものにすぎず、本発明を限定するものではない。
【００２４】
背景技術部分に記載のように、再構築する際、ＵＥとｅＮＢとの測定配置が一致しないと、ｅＮＢが初期測定配置を送信する際にＵＥの現在の測定配置と互換性を有せず、即ち、同一のキャリアが異なる測定対象に対応してしまい、ＲＲＣ接続再配置に失敗し、再構築を再度発しなければならなくなることがある。具体的には、
無線リンクに失敗し、完全性保護チェックに失敗すると、ＵＥは現在有効の測定配置情報を利用し、即ち、ＵＥはＲＲＣ接続再構築を発する際にＭＡＣ(Ｍｅｄｉｕｍ  Ａｃｃｅｓｓ  Ｃｏｎｔｒｏｌ、媒体アクセス制御)、ＰＨＹ(Ｐｈｙｓｉｃａｌ  Ｌａｙｅｒ、物理層)配置を再び設定するが、ＲＲＣ層の配置を再び設定することはなく、有効の測定配置は保存される。
【００２５】
無線リンクに失敗し、完全性保護チェックに失敗した場合、ＲＲＣ接続再構築に成功し、ＲＲＣ接続を回復した後、ｅＮＢはＲＲＣ接続再配置メッセージによってＵＥへ測定ジョブを送信し、正常である場合、ＵＥからのＲＲＣ接続再配置完成メッセージを受信することになる。ＲＲＣ接続再配置完成メッセージは受信していないが、ＲＲＣ接続再構築メッセージを受信していると、以下の三つの状況が含まれる：
１)ＵＥがＲＲＣ接続再配置メッセージを受信する前、アップリンクの非同期を検出して、ＲＲＣ接続再構築を発し、ＲＲＣ再構築要求メッセージに再構築の原因が他の失敗であることが含まれ、ＵＥは元の測定配置を利用する。
【００２６】
２)ＵＥがＲＲＣ接続再配置メッセージを受信し、且つｅＮＢへＲＲＣ接続再配置完成メッセージを送信したが、当該メッセージのＡＣＫ応答を受信していなく、ＲＲＣ接続再構築を発し、ＲＲＣ再構築要求メッセージに再構築の原因が他の失敗であることが含まれ、ＵＥは受信したＲＲＣ接続再配置メッセージに含まれた測定配置を利用する。
【００２７】
３）ＵＥがＲＲＣ接続再配置メッセージを受信したが、完全性チェックに失敗して、ＲＲＣ接続再構築を発し、ＲＲＣ再構築要求メッセージに再構築の原因が他の失敗であることが含まれ、ＵＥは元の測定配置を利用する。
【００２８】
ｅＮＢ側のＲＲＣ層がＲＲＣ接続再構築メッセージを受信した場合、取得した再構築の理由が他の理由であると、ｅＮＢが今回の測定配置がＵＥで有効になったか否かを判断できず、ＵＥ側とｅＮＢ側との測定配置が一致しなくなってしまう。例えば、以下の三つの状況がある：
１）ｅＮＢがＲＲＣ接続再配置メッセージによって測定ジョブ（ＭｅａｓＩｄ＝１、ＭｅａｓＯｂｊｅｃｔＩｄ＝１（Ｆｒｅｑ１）、ＲｅｐｏｒｔＣｏｎｆｉｇＩｄ＝１）を送信し、ＵＥ側は当該ＲＲＣ接続再配置メッセージを受信し、配置が有効になった後、無線リンクの失敗を検出して直接に再構築を発し、一方、ｅＮＢはＲＲＣ再配置完成メッセージを受信する前にＲＲＣ接続再構築を受信していて、且つ再構築の原因がｏｔｈｅｒＦａｉｌｕｒｅである。ｅＮＢはＵＥが今回の測定配置を有効にしていないと判断し、ＲＲＣ接続再構築を実行し、有効になった測定配置（ＭｅａｓＩｄ＝１、ＭｅａｓＯｂｊｅｃｔＩｄ＝１（Ｆｒｅｑ１）、ＲｅｐｏｒｔＣｏｎｆｉｇＩｄ＝１は含まない）を削除する。ＲＲＣ接続再構築を完成した後、ＲＲＣ接続再配置メッセージを送信し、該ＲＲＣ接続再配置メッセージは新規の初期測定配置（ＭｅａｓＩｄ＝１、ＭｅａｓＯｂｊｅｃｔＩｄ＝２（Ｆｒｅｑ１）、ＲｅｐｏｒｔＣｏｎｆｉｇＩｄ＝１）を含む。ＵＥはＲＲＣ接続再配置メッセージを受信して測定配置を行う時、一つのキャリアが異なる測定対象に対応することを検出し、プロトコル標準に符合しないのでＲＲＣ接続再配置に失敗したと認定し、ＲＲＣ接続再構築を再び発する。
【００２９】
２）ｅＮＢがＲＲＣ接続再配置メッセージによって測定削除ジョブ（ＭｅａｓＩｄ＝１、ＭｅａｓＯｂｊｅｃｔＩｄ＝１（Ｆｒｅｑ１）、ＲｅｐｏｒｔＣｏｎｆｉｇＩｄ＝１）を送信し、ＵＥ側は当該ＲＲＣ接続再配置メッセージを受信していなく、無線リンクの失敗を検出したのでＲＲＣ接続再構築を発する。ｅＮＢはＲＲＣ再配置完成メッセージを受信する前にＲＲＣ接続再構築メッセージを受信し、且つ再構築の原因がｏｔｈｅｒＦａｉｌｕｒｅであるので、ｅＮＢはＵＥが今回の測定配置を有効にして、ＲＲＣ接続再構築を実行したと認定する。ＲＲＣ接続再構築を完成した後、ＲＲＣ接続再配置メッセージを送信し、該ＲＲＣ接続再配置メッセージはｅＮＢが有効であった測定配置を削除すること含み（ＭｅａｓＩｄ＝１、ＭｅａｓＯｂｊｅｃｔＩｄ＝１（Ｆｒｅｑ１）、ＲｅｐｏｒｔＣｏｎｆｉｇＩｄ＝１は含まない）、新規の初期測定配置（ＭｅａｓＩｄ＝１、ＭｅａｓＯｂｊｅｃｔＩｄ＝２（Ｆｒｅｑ１）、ＲｅｐｏｒｔＣｏｎｆｉｇＩｄ＝１）を送信する。ＵＥはＲＲＣ接続再配置メッセージを受信して測定配置を行う時、一つのキャリアが異なる測定対象に対応することを検出し、プロトコル標準に符合しないのでＲＲＣ接続再配置に失敗したと認定し、ＲＲＣ接続再構築を再び発する。
【００３０】
３）ｅＮＢがＲＲＣ接続再配置メッセージによって測定削除ジョブを送信し（ＭｅａｓＩｄ＝１、ＭｅａｓＯｂｊｅｃｔＩｄ＝１（Ｆｒｅｑ１）、ＲｅｐｏｒｔＣｏｎｆｉｇＩｄ＝１）、ＵＥ側は当該ＲＲＣ接続再配置メッセージを受信したが、完全性保護チェックに失敗したので、測定配置が有効になっていない。ｅＮＢはＲＲＣ再配置完成メッセージを受信する前にＲＲＣ接続再構築を受信し、且つ再構築の原因がｏｔｈｅｒＦａｉｌｕｒｅである。ｅＮＢはＵＥが今回の測定配置を有効にしてＲＲＣ接続再構築を行ったと認定し、ｅＮＢは有効になった測定配置を削除する（ＭｅａｓＩｄ＝１、ＭｅａｓＯｂｊｅｃｔＩｄ＝１（Ｆｒｅｑ１）、ＲｅｐｏｒｔＣｏｎｆｉｇＩｄ＝１は含まない）。ＲＲＣ接続再構築に完成した後、ＲＲＣ接続再配置メッセージを送信し、該ＲＲＣ接続再配置メッセージは新規の初期測定配置を含む（ＭｅａｓＩｄ＝１、ＭｅａｓＯｂｊｅｃｔＩｄ＝２（Ｆｒｅｑ１）、ＲｅｐｏｒｔＣｏｎｆｉｇＩｄ＝１）。ＵＥはＲＲＣ接続再配置メッセージを受信して測定配置を行う時、一つのキャリアが異なる測定対象に対応することを検出し、プロトコル標準に符合しないのでＲＲＣ接続再配置に失敗したと認定し、再構築を再び発する。
【００３１】
そのため、本発明はＲＲＣ測定再配置の処理方法を提供する。
【００３２】
図１を参照すると、図１は本発明のＲＲＣ測定再配置の処理方法の第１の実施例のフローを示す図である。
【００３３】
該ＲＲＣ測定再配置の処理方法は以下のステップを含む：
ステップＳ１０１において、ｅＮＢからのＲＲＣ接続再配置メッセージを受信する。
【００３４】
該ＲＲＣ接続再配置メッセージは、システム内での切り替え、システム間での切り替え又はＵＥの移動等による測定再配置によってトリガーされることができる。
【００３５】
ステップＳ１０２において、前記ＲＲＣ接続再配置メッセージに基づいてローカルの測定配置を再配置する。
【００３６】
即ち、ＵＥは再配置する前のローカルの測定配置と、前記ＲＲＣ接続再配置メッセージに基づいて再配置した後のローカルの測定配置とを含む。簡単に区別するため、再配置する前に利用した測定配置を第１の測定配置と称し、再配置した後に利用した測定配置を第２の測定配置と称する。即ち、上記ステップを、ＲＲＣ接続再配置メッセージに基づいて、ローカルの測定配置を第１の測定配置から第２の測定配置に切り替えすると理解することもできる。
【００３７】
ステップＳ１０３において、再配置を完成した場合、ｅＮＢへＲＲＣ接続再配置完成メッセージを送信する。
【００３８】
ステップＳ１０４において、ＲＲＣ接続再配置完成メッセージを送信してから予め設定した時間内に、前記ＲＲＣ接続再配置完成メッセージのＡＣＫ応答を受信したか否かを判断し、ＹＥＳであると、ステップＳ１０５を実行し、ＮＯであると、ステップＳ１０６を実行する。
【００３９】
ステップＳ１０５において、ＲＲＣ接続再配置のフローが終了したと認定する。
【００４０】
即ち、今回のＲＲＣ接続再配置メッセージによって正常なフローが開始され、且つ成功に完成して終了した。
【００４１】
ステップＳ１０６において、前記ローカルの測定配置を再配置する前の測定配置に戻す。
【００４２】
ステップＳ１０７において、ｅＮＢへＲＲＣ接続再構築要求メッセージを送信する。
【００４３】
ＲＲＣ接続再構築要求を送信すると、ＵＥは今回のＲＲＣ接続再配置に失敗したと認定する。即ち、今回のＲＲＣ接続再配置メッセージによって完全なフローが開始されず、途中に終了し、ｅＮＢへＲＲＣ接続再構築要求メッセージを送信した。
【００４４】
本実施例で提供するＲＲＣ測定再配置の処理方法によると、無線リンクが失敗し、ＲＲＣ接続再配置完成メッセージをｅＮＢへ送信できず、前記ＲＲＣ接続再配置完成メッセージのＡＣＫ応答を受信できないと、ＵＥとｅＮＢとの間のＲＲＣ接続再構築が発生する。本技術案によると、ＵＥ中の測定配置を再配置する前の測定配置に戻し、再配置する前の測定配置は前に成功に実行した測定配置であるので、ｅＮＢにも対応する測定配置があるように保証できる。これにより、ＵＥとｅＮＢがＲＲＣ接続再構築を行う時に測定配置が異なることでＲＲＣ接続再構築に失敗してしまうことを回避できる。
【００４５】
図２を参照すると、図２は本発明のＲＲＣ測定再配置の処理方法の第２の実施例のフローを示す図である。
【００４６】
第１の実施例に基づいて、ステップＳ１０２の前にさらに、
前記ＲＲＣ接続再配置メッセージについて完全性保護チェックを行い（ステップＳ１０８）、チェックに失敗すると、ステップＳ１０７を実行し、チェックに成功すると、ステップＳ１０３を実行する。
【００４７】
受信したＲＲＣ接続再配置メッセージが損害されたものである可能性もあるので、完全性保護チェックに成功しないと、ＵＥは今回のＲＲＣ接続再配置に失敗したと認定し、ｅＮＢへＲＲＣ接続再構築要求メッセージを送信する。
【００４８】
本実施例で提供するＲＲＣ測定再配置の処理方法によると、完全性保護チェックに失敗した場合、ＲＲＣ接続再配置に失敗した後に、ＵＥとｅＮＢとの間のＲＲＣ接続再構築が発生する。本技術案によると、ＵＥにローカルの測定配置を再配置せず、現在のローカルの測定配置が成功に再配置した配置であるので、ｅＮＢにも対応する測定配置があるように保証できる。従って、ＵＥとｅＮＢがＲＲＣ接続再構築時に測定配置が異なることでＲＲＣ接続再構築に失敗してしまうことを回避できる。
【００４９】
図３を参照すると、図３は本発明のＲＲＣ測定再配置の処理方法の第３の実施例のフローを示す図である。
【００５０】
第１の実施例に基づいて、ステップＳ１０１の前にさらに、
無線リンクを検出し（ステップＳ１０９）、無線リンクの失敗が検出されると、ステップＳ１０７を実行し、無線リンクの失敗が検出されないと、ステップＳ１０１を実行する。
【００５１】
ＲＲＣ接続再配置メッセージの受信を待っている間に、アップリンクの失敗等の無線リンクの失敗が発生する可能性があるので、ＵＥは今回のＲＲＣ接続再配置に失敗したと認定し、ｅＮＢにＲＲＣ接続再構築要求メッセージを送信する。
【００５２】
図４を参照すると、図４は本発明のＲＲＣ測定再配置の処理方法の第４の実施例のフローを示す図である。
【００５３】
該ＲＲＣ測定再配置の処理方法は以下のステップＳ２０１〜Ｓ２０３を含む：
ステップＳ２０１において、進化型基地局ｅＮＢがＵＥへＲＲＣ接続再配置メッセージを送信し、前記ＲＲＣ接続再配置メッセージに基づいてローカルの測定配置を再配置する。
【００５４】
即ち、ｅＮＢは再配置する前のローカルの測定配置と、前記ＲＲＣ接続再配置メッセージに基づいて再配置した後のローカルの測定配置とを含む。簡単に区別するため、再配置する前に利用した測定配置を第１の測定配置と称し、再配置した後に利用した測定配置を第２の測定配置と称す。即ち、上記ステップを、ＲＲＣ接続再配置メッセージに基づいて、ローカルの測定配置を第１の測定配置から第２の測定配置に切り替えすると理解することもできる。
【００５５】
ステップＳ２０２において、ＲＲＣ接続再配置完成メッセージを受信する前、ＵＥから発されたＲＲＣ接続再構築要求メッセージを受信したか否かを判断し、ＹＥＳであると、ステップＳ２０３を実行する。
【００５６】
無線リンクに失敗し、又は完全性チェックに失敗すると、ＵＥがＲＲＣ接続再配置完成メッセージを送信しなくなり、又はＵＥがＲＲＣ接続再配置完成メッセージを送信したがｅＮＢが受信できなくなり、この時、ｅＮＢはＵＥからのＲＲＣ接続再構築メッセージを受信することになる。
【００５７】
ステップＳ２０３において、前記ローカルの測定配置を再配置する前の測定配置に戻し、ＵＥへＲＲＣ接続再構築メッセージを送信する。
【００５８】
本実施例で提供するＲＲＣ測定再配置の処理方法によると、無線リンクに失敗し、完全性チェックに失敗した場合、ＲＲＣ接続再配置に失敗した後に、ＵＥとｅＮＢとの間のＲＲＣ接続再構築が発生する。ｅＮＢ中のローカルの測定配置を再配置する前の測定配置に戻し、該測定配置は前に成功に再配置した配置であるので、ＵＥにも該対応する測定配置があるように保証できる。従って、ＵＥとｅＮＢがＲＲＣ接続再構築の時に測定配置が異なることでＲＲＣ接続再構築に失敗してしまうことを回避できる。
【００５９】
図５を参照すると、図５は本発明のＲＲＣ測定再配置の処理方法の第５の実施例のフローを示す図である。
【００６０】
該ＲＲＣ測定再配置の処理方法は以下のステップＳ３０１〜Ｓ３０５を含む。
【００６１】
ステップＳ３０１において、第１のＲＲＣ接続再配置メッセージによってＵＥへ第１の測定配置を送信する。
【００６２】
ｅＮＢがＵＥへ第１の測定配置を送信する際、ｅＮＢは該第１の測定配置に基づいて、ｅＮＢ側のローカルの測定配置がＵＥが該第１の測定配置を行った後のＵＥ側のローカルの測定配置と同じになるように、ｅＮＢ側のローカルの測定配置を再配置する。
【００６３】
ステップＳ３０２において、ＲＲＣ接続再配置完成メッセージを受信する前、ＵＥからのＲＲＣ接続再構築要求メッセージを受信したか否かを判断し、ＹＥＳであると、ステップＳ３０３を実行する。
【００６４】
無線リンクに失敗し又は完全性チェックに失敗すると、ＵＥがＲＲＣ接続再配置完成メッセージを送信しないことがあって、又はＵＥがＲＲＣ接続再配置完成メッセージを送信したがｅＮＢは受信できないことがある。この時、ｅＮＢはＵＥから送信されたＲＲＣ接続再構築メッセージを受信することになる。ＵＥはＲＲＣ接続再配置に失敗したと認定した後、ＲＲＣ接続再構築要求メッセージを発する。
【００６５】
ステップＳ３０３において、ＵＥへＲＲＣ接続再構築メッセージを送信する。
【００６６】
第４の実施例とは、ｅＮＢがＵＥからのＲＲＣ接続再構築要求メッセージを受信した後、ｅＮＢ側のローカルの測定配置を戻す操作を行わなく、直接にＵＥへＲＲＣ接続再構築メッセージを送信する点で相違する。
【００６７】
ステップＳ３０４において、ＲＲＣ接続再構築完成メッセージを受信したか否かを判断し、ＹＥＳであると、ステップＳ３０５を実行する。
【００６８】
ステップＳ３０５において、第２のＲＲＣ接続再配置メッセージによってＵＥへ全ての測定配置の削除を送信し、第２の測定配置も送信する。
【００６９】
ＲＲＣ接続再構築に成功した後、第２のＲＲＣ接続再配置を実行する。ステップＳ３０３において、ｅＮＢ側のローカルの測定配置を戻す操作を行っていない。よって、この時、第２のＲＲＣ接続再配置メッセージを送信すると、ｅＮＢ側のローカルの測定配置とＵＥ側のローカルの測定配置が一致しない可能性があって、失敗してしまうこともある。従って、本実施例において、全ての測定配置を削除する技術案を利用し、第２の測定配置を再び送信する。これにより、ｅＮＢ側の測定配置とＵＥ側の測定配置が異なってＵＥによる第２の測定配置に基づく再配置に失敗してしまうことを回避できる。
【００７０】
図６を参照すると、図６に本発明のＲＲＣ測定再配置の処理方法の第６の実施例の動作フローを示す。
【００７１】
該ＲＲＣ測定再配置の処理方法は以下のステップＳ４０１〜Ｓ４０８を含む。
【００７２】
ステップＳ４０１において、ＵＥの移動、システム内の切り替え、システム間の切り替え又は他の機能等によって測定再配置が発生した場合、ｅＮＢはＲＲＣ接続再配置（ＲＲＣＣｏｎｎｅｃｔｉｏｎＲｅｃｏｎｆｉｇｕｒａｔｉｏｎ）メッセージによって新規の測定配置（ｍｅａｓＣｏｎｆｉｇ）をＵＥへ送信し、また、ＲＲＣ接続再配置メッセージに基づいて、ｅＮＢ側のローカルの測定配置を再配置する。
【００７３】
ステップＳ４０２において、ＵＥは該ＲＲＣ接続再配置メッセージを受信し、ＲＲＣ接続再配置メッセージに基づいて、ＵＥ側のローカルの測定配置を再配置し、配置に成功した後、ｅＮＢへＲＲＣ接続再配置完成（ＲＲＣＣｏｎｎｅｃｔｉｏｎ  Ｒｅｃｏｎｆｉｇｕｒａｔｉｏｎ  Ｃｏｍｐｌｅｔｅ）メッセージを送信する。
【００７４】
ステップＳ４０３において、ＵＥは、予め設定した時間内にＲＲＣ接続再配置完成メッセージのＡＣＫ応答を受信できないと、ＵＥ側のローカルの測定配置を再配置する前の測定配置に戻し、ｅＮＢへＲＲＣ接続再構築要求（ＲＲＣＣｏｎｎｅｃｔｉｏｎ  Ｒｅｅｓｔａｂｌｉｓｈｍｅｎｔ  Ｒｅｑｕｅｓｔ）メッセージを送信する。
【００７５】
ステップＳ４０４において、ｅＮＢはＲＲＣ接続再配置完成メッセージを受信する前、ＲＲＣ接続再構築メッセージを受信すると、ｅＮＢ側のローカルの測定配置を再配置する前の測定配置に戻し、ＵＥへＲＲＣ接続再構築（ＲＲＣＣｏｎｎｅｃｔｉｏｎ  Ｒｅｅｓｔａｂｌｉｓｈｍｅｎｔ）メッセージを送信する。
【００７６】
ステップＳ４０５において、ＵＥはＲＲＣ接続再構築メッセージを受信すると、ローカルの測定配置を実行する。その後、ＵＥへＲＲＣ接続再構築完成（ＲＲＣＣｏｎｎｅｃｔｉｏｎ  Ｒｅｅｓｔａｂｌｉｓｈｍｅｎｔ  Ｃｏｍｐｌｅｔｅ）メッセージを送信する。
【００７７】
ステップＳ４０６において、ｅＮＢがＲＲＣ接続再構築完成メッセージを受信した後、ＲＲＣ接続再配置メッセージを送信する。即ち、ＲＲＣ接続再配置メッセージによって、有効になった測定配置を削除し、初期測定配置をＵＥへ送信する。
【００７８】
ステップＳ４０７において、ＵＥがＲＲＣ接続再配置メッセージを受信して実行した後、ＲＲＣ接続再配置完成メッセージをｅＮＢへ送信する。
【００７９】
ステップＳ４０８において、ｅＮＢがＲＲＣ接続再配置完成メッセージを受信すると、フローを終了する。
【００８０】
図７を参照すると、図７に本発明のＲＲＣ測定再配置の処理方法の第７の実施例の動作フローを示す。
【００８１】
該ＲＲＣ測定再配置の処理方法は以下のステップＳ５０１〜Ｓ５０７を含む。
【００８２】
ステップＳ５０１において、ＵＥの移動、システム内の切り替え、システム間の切り替え又は他の機能等によって測定再配置が発生し又は完全性保護チェックに失敗した場合、ｅＮＢはＲＲＣ接続再配置メッセージによって新規の測定配置を送信し、ＲＲＣ接続再配置メッセージに基づいて、ｅＮＢ側のローカルの測定配置を再配置する。
【００８３】
ステップＳ５０２において、ＵＥはＲＲＣ接続再配置メッセージを受信する前にアップリンクの非同期を検出すると、又はＲＲＣ接続再配置メッセージを受信した後ＲＲＣ接続再配置メッセージに完全性保護チェックを行って失敗した場合、既存のＵＥ側のローカルの測定配置を保留し、ｅＮＢへＲＲＣ接続再構築要求メッセージを送信する。
【００８４】
ステップＳ５０３において、ｅＮＢはＲＲＣ接続再配置完成メッセージを受信する前、ＲＲＣ接続再構築要求メッセージを受信すると、ｅＮＢ側のローカルの測定配置を再配置する前の測定配置に戻し、ＵＥへＲＲＣ接続再構築メッセージを送信する。
【００８５】
ステップＳ５０４において、ＵＥはＲＲＣ接続再構築メッセージを受信すると、ローカルの測定配置を実行し、その後、ＵＥへＲＲＣ接続再構築完成メッセージを送信する。
【００８６】
ステップＳ５０５において、ｅＮＢはＲＲＣ接続再構築完成メッセージを受信した後、ＲＲＣ接続再配置メッセージを送信する。即ち、ＲＲＣ接続再配置メッセージによって、有効になった測定配置を削除し、初期測定配置をＵＥへ送信する。
【００８７】
ステップＳ５０６において、ＵＥがＲＲＣ接続再配置メッセージを受信した実行した後、ＲＲＣ接続再配置完成メッセージをｅＮＢへ送信する。
【００８８】
ステップＳ５０７において、ｅＮＢがＲＲＣ接続再配置完成メッセージを受信すると、フローを終了する。
【００８９】
図８を参照すると、図８に本発明のＲＲＣ測定再配置の処理方法の第８の実施例の動作フローを示す。
【００９０】
ステップＳ６０１において、ＵＥの移動、システム内の切り替え、システム間の切り替え又は他の機能等によって測定再配置が発生し、又は完全性保護チェックに失敗した場合、ｅＮＢはＲＲＣ接続再配置メッセージによって、第１の測定配置を送信し、また、第１のＲＲＣ接続再配置メッセージに基づいて、ｅＮＢ側のローカルの測定配置を再配置する。
【００９１】
ステップＳ６０２において、ＵＥが第１のＲＲＣ接続再配置を受信又は完成することに失敗した場合、ローカルの測定配置を保留し、又は第１のＲＲＣ接続再配置メッセージに基づいてローカルの測定配置を再配置し、ｅＮＢへＲＲＣ接続再構築要求メッセージを送信する。
【００９２】
ステップＳ６０３において、ｅＮＢは第１のＲＲＣ接続再配置完成メッセージを受信する前、ＲＲＣ接続再構築要求メッセージを受信していると、ＵＥへＲＲＣ接続再構築メッセージを送信する（）。
【００９３】
上述した第６及び第７の実施例とは、本実施例においてｅＮＢがローカルの測定配置を再配置する前の測定配置に戻す操作を行っていない点で相違する。直接にＲＲＣ接続再構築メッセージを送信している。
【００９４】
ステップＳ６０４において、ＵＥはＲＲＣ接続再構築メッセージを受信し、ローカルの測定配置を実行し、その後、ＵＥへＲＲＣ接続再構築完成メッセージを送信する。
【００９５】
ステップＳ６０５において、ｅＮＢがＲＲＣ接続再構築完成メッセージを受信した後、第２のＲＲＣ接続再配置メッセージを送信する。第２のＲＲＣ接続再配置メッセージによって、ＵＥへ全ての測定配置の削除を送信し、第２の測定配置を送信する。
【００９６】
ＲＲＣ接続再構築に成功した後、第２のＲＲＣ接続再配置を実行する。ステップＳ６０３においてｅＮＢ側のローカルの測定配置を戻す操作を行っていない。よって、この時、第２のＲＲＣ接続再配置メッセージを送信すると、ｅＮＢ側のローカルの測定配置がＵＥ側のローカルの測定配置と一致しないことで失敗してしまう可能性がある。よって、本実施例において、全ての測定配置を削除し、第２の測定配置を送信する。これにより、ｅＮＢ側の測定配置がＵＥ側の測定配置と異なってＵＥによる第２の測定配置に基づく再配置に失敗してしまうことを回避できる。
【００９７】
ステップＳ６０６において、ＵＥがＲＲＣ接続再配置メッセージを受信して実行した後、ＲＲＣ接続再配置完成メッセージをｅＮＢに送信する。
【００９８】
ステップＳ６０７において、ｅＮＢがＲＲＣ接続再配置完成メッセージを受信すると、フローを終了する。
【００９９】
上述した三つのフロー実施例から分かるように、本実施例におけるＲＲＣ測定再配置の処理システムによると、ＲＲＣ接続再配置に失敗した後、ＵＥとｅＮＢとの測定配置が一致しないことでＲＲＣ接続再構築に失敗してしまうことを回避できる。
【０１００】
本発明によるとさらにユーザ機器ＵＥを提供する。
【０１０１】
図９を参照すると、図９は本発明のユーザ機器ＵＥの一実施例のモジュールを示す図である。
【０１０２】
該ＵＥは、第１の配置モジュール１０１と第２の配置モジュール１０２とを含む。
【０１０３】
第１の配置モジュール１０１は、進化型基地局ｅＮＢから取得した無線リソース制御ＲＲＣ接続再配置メッセージに基づいて、ローカルの測定配置を再び配置し、前記ｅＮＢへＲＲＣ接続再配置完成メッセージを送信するように構成される。
【０１０４】
該ＲＲＣ接続再配置メッセージは、システム内の切り替え、システム間の切り替え又はＵＥの移動等による測定再配置によってトリガーされることができる。
【０１０５】
ＵＥは再配置する前のローカルの測定配置と、前記ＲＲＣ接続再配置メッセージに基づいて再配置した後のローカルの測定配置とを含む。簡単に区別するため、再配置する前に利用した測定配置を第１の測定配置と称し、再配置した後に利用した測定配置を第２の測定配置と称す。即ち、上記ステップを、ＲＲＣ接続再配置メッセージに基づいてローカルの測定配置を第１の測定配置から第２の測定配置に切り替えすると理解することもできる。
【０１０６】
第２の配置モジュール１０２は、前記ＲＲＣ接続再配置完成メッセージを送信してから予め設定した時間内に、前記ＲＲＣ接続再配置完成メッセージの確認応答を受信していないと判断すると、前記ローカルの測定配置を再び配置する前の測定配置に戻し、前記ｅＮＢへＲＲＣ接続再構築要求メッセージを送信するように構成される。
【０１０７】
ＲＲＣ接続再構築要求を送信すると、ＵＥは今回のＲＲＣ接続再配置に失敗したと認定する。即ち、今回のＲＲＣ接続再配置メッセージによって完全なフローが開始されず、途中に終了し、ｅＮＢへＲＲＣ接続再構築要求メッセージを送信した。
【０１０８】
本実施例で提供するＵＥによると、無線リンクに失敗し、ＲＲＣ接続再配置完成メッセージがｅＮＢへ送信できなく、前記ＲＲＣ接続再配置完成メッセージのＡＣＫ応答を受信できないと、ＵＥとｅＮＢとの間にＲＲＣ接続再構築が発生する。本技術案によると、ＵＥ中の測定配置を再配置する前のものに戻し、再配置する前の測定配置は成功に実行した測定配置であるので、ｅＮＢにも対応する測定配置があるように保証できる。従って、ＵＥとｅＮＢがＲＲＣ接続再構築の時に測定配置が異なることでＲＲＣ接続再構築に失敗してしまうことを回避できる。
【０１０９】
前記ＵＥが、
前記ＲＲＣ接続再配置メッセージについて完全性保護チェックを行い、チェックに失敗すると、ｅＮＢへＲＲＣ接続再構築要求メッセージを送信し、チェックに成功すると、前記ＲＲＣ接続再配置メッセージに基づいてローカルの測定配置を再配置するように構成されるチェックモジュール１０３をさらに含むことが好ましい。
【０１１０】
受信したＲＲＣ接続再配置メッセージが損害されたものである可能性があるので、完全性保護チェックに失敗すると、ＵＥは今回のＲＲＣ接続再配置に失敗したと認定し、ｅＮＢへＲＲＣ接続再構築要求メッセージを送信する。
【０１１１】
本実施例で提供するＲＲＣ測定再配置の処理方法によると、完全性保護チェックに失敗した場合、ＲＲＣ接続再配置に失敗した後に、ＵＥとｅＮＢとの間のＲＲＣ接続再構築が発生する。ＵＥにローカルの測定配置を再配置せず、現在のローカルの測定配置が成功に再配置した配置であるので、ｅＮＢにも対応する測定配置があるように保証できる。従って、ＵＥとｅＮＢがＲＲＣ接続再構築の時に測定配置が異なることでＲＲＣ接続再構築に失敗してしまうことを回避できる。
【０１１２】
前記ＵＥが、
無線リンクを検出し、無線リンクに異常が発生したことが検出されると、ｅＮＢへＲＲＣ接続再構築要求メッセージを送信し、無線リンクに例えばアップリンクの失敗等の異常が発生したことが検出されていないと、ｅＮＢからのＲＲＣ接続再配置メッセージを受信するように構成されるリンク検出モジュール１０４をさらに含むことが好ましい。
【０１１３】
本発明によるさらに進化型基地局ｅＮＢを提供する。
【０１１４】
図１０を参照すると、図１０は本発明の進化型基地局ｅＮＢの第１の実施例のモジュールを示す図である。
【０１１５】
該進化型基地局ｅＮＢは、第２の再配置モジュール２０１と、第２の再構築モジュール２０２と、を含む。
【０１１６】
第２の再配置モジュール２０１は、ＵＥへＲＲＣ接続再配置メッセージを送信し、前記ＲＲＣ接続再配置メッセージに基づいてローカルの測定配置を再配置するように構成される。
【０１１７】
即ち、ｅＮＢは再配置する前のローカルの測定配置と、前記ＲＲＣ接続再配置メッセージに基づいて再配置した後のローカルの測定配置とを含む。簡単に区別するため、再配置する前に利用した測定配置を第１の測定配置と称し、再配置した後に利用した測定配置を第２の測定配置と称す。即ち、上記ステップを、ＲＲＣ接続再配置メッセージに基づいて、ローカルの測定配置を第１の測定配置から第２の測定配置に切り替えすると理解することもできる。
【０１１８】
第２の再構築モジュール２０２は、前記ＵＥからＲＲＣ接続再配置完成メッセージを受信する前に、ＵＥからのＲＲＣ接続再構築要求メッセージを受信していると認定すると、ローカルの測定配置を再配置する前の測定配置に戻し、ＵＥへＲＲＣ接続再構築メッセージを送信する。
【０１１９】
無線リンクに失敗し、又は完全性チェックに失敗すると、ＵＥがＲＲＣ接続再配置完成メッセージを送信しなくなり、又はＵＥがＲＲＣ接続再配置完成メッセージを送信したが、ｅＮＢが受信できないことがある。この時、ｅＮＢはＵＥからのＲＲＣ接続再構築メッセージを受信することになる。
【０１２０】
本実施例で提供するｅＮＢによると、無線リンクに失敗し、完全性チェックに失敗した場合、ＲＲＣ接続再配置に失敗した後に、ＵＥとｅＮＢとの間のＲＲＣ接続再構築が発生する。本技術案によると、ｅＮＢ中のローカルの測定配置を再配置する前の測定配置に戻し、該測定配置は前に成功に再配置した配置であるので、ＵＥにも該対応する測定配置があるように保証できる。従って、ＵＥとｅＮＢがＲＲＣ接続再構築の時に測定配置が異なることでＲＲＣ接続再構築に失敗してしまうことを回避できる。
【０１２１】
図１１を参照すると、図１１は本発明の進化型基地局ｅＮＢの第２の実施例のモジュールを示す図である。
【０１２２】
該進化型基地局ｅＮＢは、第２の再配置モジュール３０１と、第２の再構築モジュール３０２と、初期化再配置モジュール３０３と、を含む。
【０１２３】
第２の再配置モジュール３０１は、第１のＲＲＣ接続再配置メッセージによってＵＥへ第１の測定配置を送信するように構成される。
【０１２４】
即ち、ｅＮＢは再配置する前のローカルの測定配置と、前記ＲＲＣ接続再配置メッセージに基づいて再配置した後のローカルの測定配置とを含む。
【０１２５】
第２の再構築モジュール３０２は、前記ＵＥからＲＲＣ接続再配置完成メッセージを受信する前に、ＵＥからのＲＲＣ接続再構築要求メッセージを受信していると認定すると、ＵＥへＲＲＣ接続再構築メッセージを送信するように構成される。
【０１２６】
無線リンクに失敗し、又は完全性チェックに失敗すると、ＵＥがＲＲＣ接続再配置完成メッセージを送信せず、又はＵＥがＲＲＣ接続再配置完成メッセージを送信したが、ｅＮＢが受信できないことがある。この時、ｅＮＢはＵＥからのＲＲＣ接続再構築メッセージを受信することになる。上述した一実施例とは異なって、本実施例においては、ＲＲＣ接続再構築メッセージを送信した時にローカルの測定配置を再配置する前の測定配置に戻していない。
【０１２７】
初期化再配置モジュール３０３は、前記ＵＥからＲＲＣ接続再構築完成メッセージを受信した後、第２のＲＲＣ接続再配置メッセージによってＵＥへ第１の測定配置の削除を送信し、第２の測定配置も送信するように構成される。
【０１２８】
ＲＲＣ接続再構築に成功した後、第２のＲＲＣ接続再配置を実行する。ＲＲＣ接続再構築を実行する場合、ｅＮＢ側のローカルの測定配置の戻し操作を行っていない。よって、この時に第２のＲＲＣ接続再配置メッセージを送信すると、ｅＮＢ側のローカルの測定配置とＵＥ側のローカルの測定配置とが一致しないことで失敗してしまうことが発生する可能性がある。よって、本実施例において、全ての測定配置を削除し、第２の測定配置を送信する。これにより、ｅＮＢ側の測定配置がＵＥ側の測定配置と異なることでＵＥによる第２の測定配置に基づく再配置に失敗してしまうことを回避できる。
【０１２９】
本発明はさらにＲＲＣ測定再配置の処理システムを提供する。
【０１３０】
図１２を参照すると、図１２は本発明のＲＲＣ測定再配置の処理システムの第１の実施例のモジュールを示す図である。
【０１３１】
該ＲＲＣ測定再配置の処理システムは上述した実施例中のユーザ機器ＵＥと進化型基地局ｅＮＢとを用いる。
【０１３２】
該進化型基地局ｅＮＢは、第２の再配置モジュール２０１と、第２の再構築モジュール２０２と、を含む。
【０１３３】
第２の再配置モジュール２０１は、ＵＥへＲＲＣ接続再配置メッセージを送信し、前記ＲＲＣ接続再配置メッセージに基づいてローカルの測定配置を再配置するように構成される。
【０１３４】
即ち、ｅＮＢは再配置する前のローカルの測定配置と、前記ＲＲＣ接続再配置メッセージに基づいて再配置した後のローカルの測定配置とを含む。
【０１３５】
第２の再構築モジュール２０２は、前記ＵＥからＲＲＣ接続再配置完成メッセージを受信する前に、ＵＥからのＲＲＣ接続再構築要求メッセージを受信していると認定すると、ローカルの測定配置を再配置する前の測定配置に戻し、ＵＥへＲＲＣ接続再構築メッセージを送信するように構成される。
【０１３６】
ユーザ機器ＵＥは、第１の配置モジュール１０１と、第２の配置モジュール１０２と、を含む。
【０１３７】
第１の配置モジュール１０１は、進化型基地局ｅＮＢから取得した無線リソース制御ＲＲＣ接続再配置メッセージに基づいて、ローカルの測定配置を再び配置し、前記ｅＮＢへＲＲＣ接続再配置完成メッセージを送信するように構成される。
【０１３８】
該ＲＲＣ接続再配置メッセージは、システム内の切り替え、システム間の切り替え又はＵＥの移動等による測定再配置によってトリガーされることができる。
【０１３９】
ＵＥは再配置する前のローカルの測定配置と、前記ＲＲＣ接続再配置メッセージに基づいて再配置した後のローカルの測定配置と、を含む。簡単に区別するため、再配置する前に利用した測定配置を第１の測定配置と称し、再配置した後に利用した測定配置を第２の測定配置と称す。即ち、上記ステップを、ＲＲＣ接続再配置メッセージに基づいてローカルの測定配置を第１の測定配置から第２の測定配置に切り替えすると理解することができる。
【０１４０】
第２の配置モジュール１０２は、前記ＲＲＣ接続再配置完成メッセージを送信してから予め設定した時間内に、前記ＲＲＣ接続再配置完成メッセージの確認応答を受信していないと認定すると、前記ローカルの測定配置を再び配置する前の測定配置に戻し、前記ｅＮＢへＲＲＣ接続再構築要求メッセージを送信するように構成される。
【０１４１】
ＲＲＣ接続再構築要求を送信すると、ＵＥは今回のＲＲＣ接続再配置に失敗したと認定する。即ち、今回のＲＲＣ接続再配置メッセージによって、完全なフローを開始することができず、途中に終了し、ｅＮＢへＲＲＣ接続再構築要求メッセージを送信した。
【０１４２】
受信したＲＲＣ接続再配置メッセージが損害されたものである可能性があるので、完全性保護チェックに失敗すると、ＵＥは今回のＲＲＣ接続再配置に失敗したと認定し、ｅＮＢへＲＲＣ接続再構築要求メッセージを送信する。前記ＵＥが、
前記ＲＲＣ接続再配置メッセージについて完全性保護チェックを行い、チェックに失敗すると、ｅＮＢへＲＲＣ接続再構築要求メッセージを送信し、チェックに成功すると、前記ＲＲＣ接続再配置メッセージに基づいてローカルの測定配置を再配置するように構成されるチェックモジュール１０３をさらに含むことが好ましい。
【０１４３】
前記ＵＥが、
無線リンクを検出し、無線リンクの失敗が検出されると、ｅＮＢへＲＲＣ接続再構築要求メッセージを送信し、例えばアップリンクの非同期等の無線リンクの失敗が検出されないと、ｅＮＢからのＲＲＣ接続再配置メッセージを受信するように構成されるリンク検出モジュール１０４をさらに含むことが好ましい。
【０１４４】
図１３を参照すると、図１３は本発明のＲＲＣ測定再配置の処理システムの第２の実施例のモジュールを示す図である。
【０１４５】
該ＲＲＣ測定再配置の処理システムは上記実施例中のユーザ機器ＵＥと進化型基地局ｅＮＢとを用いる。
【０１４６】
本実施例において、ＲＲＣ測定再配置の処理システムは進化型基地局ｅＮＢとユーザ機器ＵＥとを含む。
【０１４７】
該進化型基地局ｅＮＢは、第２の再配置モジュール３０１と、第２の再構築モジュール３０２と、初期化再配置モジュール３０３と、を含む。
【０１４８】
第２の再配置モジュール３０１は、第１のＲＲＣ接続再配置メッセージによってＵＥへ第１の測定配置を送信するように構成される。
【０１４９】
即ち、ｅＮＢは再配置する前のローカルの測定配置と、前記ＲＲＣ接続再配置メッセージに基づいて再配置した後のローカルの測定配置と、を含む。
【０１５０】
第２の再構築モジュール３０２は、前記ＵＥからＲＲＣ接続再配置完成メッセージを受信する前に、ＵＥからのＲＲＣ接続再構築要求メッセージを受信していると認定すると、ＵＥへＲＲＣ接続再構築メッセージを送信するように構成される。
【０１５１】
無線リンクに失敗し、又は完全性チェックに失敗すると、ＵＥがＲＲＣ接続再配置完成メッセージを送信しなくなり、又はＵＥがＲＲＣ接続再配置完成メッセージを送信したが、ｅＮＢが受信できないことが発生する。この時、ｅＮＢはＵＥからのＲＲＣ接続再構築メッセージを受信することになる。上記一実施例と異なって、本実施例において、ＲＲＣ接続再構築メッセージを送信した時にローカルの測定配置を再配置する前の測定配置に戻していない。
【０１５２】
初期化再配置モジュール３０３は、前記ＵＥからＲＲＣ接続再構築完成メッセージを受信した後、第２のＲＲＣ接続再配置メッセージによってＵＥへ第１の測定配置の削除を送信し、第２の測定配置も送信する。
【０１５３】
ＲＲＣ接続再構築に成功した後、第２のＲＲＣ接続再配置を実行する。ＲＲＣ接続再構築を実行する場合、ｅＮＢ側のローカルの測定配置を戻す操作を行っていない。よって、この時第２のＲＲＣ接続再配置メッセージを送信すると、ｅＮＢ側のローカルの測定配置とＵＥ側のローカルの測定配置が一致しないことで失敗してしまうことがある。よって、本実施例において、全ての測定配置を削除し、第２の測定配置を送信する。これにより、ｅＮＢ側の測定配置とＵＥ側の測定配置が異なることでＵＥによる第２の測定配置に基づく再配置に失敗してしまうことを回避できる。
【０１５４】
ユーザ機器ＵＥは、第１の配置モジュール１０１と、第２の配置モジュール１０２と、を含む。
【０１５５】
第１の配置モジュール１０１は、進化型基地局ｅＮＢから取得した無線リソース制御ＲＲＣ接続再配置メッセージに基づいて、ローカルの測定配置を再び配置し、前記ｅＮＢへＲＲＣ接続再配置完成メッセージを送信するように構成される。
【０１５６】
該ＲＲＣ接続再配置メッセージは、システム内の切り替え、システム間の切り替え又はＵＥの移動等による測定再配置によってトリガーされることができる。
【０１５７】
ＵＥは再配置する前のローカルの測定配置と、前記ＲＲＣ接続再配置メッセージに基づいて再配置した後のローカルの測定配置と、を含む。
【０１５８】
第２の配置モジュール１０２は、前記ＲＲＣ接続再配置完成メッセージを送信してから予め設定した時間内に、前記ＲＲＣ接続再配置完成メッセージの確認応答を受信していないと認定すると、前記ローカルの測定配置を再び配置する前の測定配置に戻し、前記ｅＮＢへＲＲＣ接続再構築要求メッセージを送信するように構成される。
【０１５９】
ＲＲＣ接続再構築要求を送信すると、ＵＥは今回のＲＲＣ接続再配置に失敗したと認定する。即ち、今回のＲＲＣ接続再配置メッセージによって、完全なフローを開始することができなく、途中に終了し、ｅＮＢへＲＲＣ接続再構築要求メッセージを送信する。
【０１６０】
以上は本発明の好適な実施例で、本発明の保護範囲を限定するものではなく、本発明の明細書及び図面を利用して行った同等構造又は同等フローの変換、又は他の関連する技術分野への直接又は間接的な応用はいずれも本発明の保護範囲に含まれる。
【産業上の利用可能性】
【０１６１】
上述のように、本発明の実施例で提供するＲＲＣ測定再配置の処理方法、ＵＥ、ｅＮＢとシステムによると、ＵＥ中の測定配置を再配置する前のものに戻し、再配置する前の測定配置は前に成功に実行した測定配置であるので、ｅＮＢにも対応する測定配置があるように保証でき、従って、ＵＥとｅＮＢがＲＲＣ接続再構築の時に測定配置が異なることでＲＲＣ接続再構築に失敗してしまうことを回避できる。
【図１】
0006412254.tif 000002
【図２】
0006412254.tif 000003
【図３】
0006412254.tif 000004
【図４】
0006412254.tif 000005
【図５】
0006412254.tif 000006
【図６】
0006412254.tif 000007
【図７】
0006412254.tif 000008
【図８】
0006412254.tif 000009
【図９】
0006412254.tif 000010
【図１０】
0006412254.tif 000011
【図１１】
0006412254.tif 000012
【図１２】
0006412254.tif 000013
【図１３】
0006412254.tif 000014